(57)【要約】      （修正有）【課題】高速接続に必要な電気コネクタを提供する。【解決手段】１つの実施形態において、電気光学コネクタは、電気光学コネクタ（１１０、２１０、３１０、３１２、３５０、３５２、５１０、６４０、６４２）との間で第１および第２の電気信号を通信するように構成された電気ポート（１１２、２１２）を含む。第１の値を表す第１の電気信号をこの第１の値を表す第１の光信号（１４４）に変換し、第２の値を表す第２の電気信号をこの第２の値を表す第２の光信号（１４４）に変換するように構成された光出力ポート（１１６、２１６、３２８、５１５）が、電気ポート（１１２、２１２）との電気通信において提供される。【選択図】図１
2005176329.tif 000002
【特許請求の範囲】
【請求項１】
電気光学コネクタ（１１０、２１０、３１０、３１２、３５０、３５２、５１０、６４０、６４２）との間で第１および第２の電気信号を通信するように構成された電気ポート（１１２、２１２）と、
前記電気ポート（１１２、２１２）と電気的に通信し、第１の値を表す第１の電気信号（１４４）を該第１の値を表す第１の光信号に変換し、第２の値を表す第２の電気信号を該第２の値を表す第２の光信号（１４４）に変換するように構成された光出力ポート（１１６、２１６、３２８、５１５）と、
を備えている、電気光学コネクタ（１１０、２１０、３１０、３１２、３５０、３５２、５１０、６４０、６４２）。
【請求項２】
前記電気ポート（１１２、２１２）と電気的に通信し、第１の値を表す第１の光信号を該第１の値を表す第１の電気信号に変換し、第２の値を表す第２の光信号を該第２の値を表す第２の電気信号に変換するように構成された光入力ポート（１１４、２１４、３１６、５２０）と、
前記電気ポート（１１２、２１２）と、前記光入力ポート（１１４、２１４、３１６、５２０）と前記光出力ポート（１１６、２１６、３２８、５１５）のうちの選択された一方との間の通信を可能にするように構成されたロジック（１２０、２２０）と、
をさらに備えている、請求項１に記載の電気光学コネクタ（１１０、２１０、３１０、３１２、３５０、３５２、５１０、６４０、６４２）。
【請求項３】
前記光入力ポートが、
第１の値を表す第１の光信号を受け取りかつ第２の値を表す第２の光信号を受け取るように構成された少なくとも１つのレシーバ（１６２）と、
受け取った第１および第２の光信号を対応する第１および第２の電気信号に変換するように構成された受信ロジック（１６０、２６０）と、
を備えている、請求項２に記載の電気光学コネクタ（１１０、２１０、３１０、３１２、３５０、３５２、５１０、６４０、６４２）。
【請求項４】
前記光出力ポート（１１６、２１６、３２８、５１５）が、
第１および第２の電気信号を対応する第１および第２の識別可能な別個の光信号（１４４）に変換するように構成された送信ロジック（１４２、２５０）と、
前記第１および第２の識別可能な別個の光信号（１４４）を放射するように構成された少なくとも１つの発光装置（１４８、４２０、７２０）と、
を備えている、請求項１に記載の電気光学コネクタ（１１０、２１０、３１０、３１２、３５０、３５２、５１０、６４０、６４２）。
【請求項５】
前記少なくとも１つの発光装置（１４８、４２０、７２０）が、
受け取った第１の電気信号に応答して第１の光信号（１４４）を放射するように構成された第１の発光体（１４８）と、
受け取った第２の電気信号に応答して第２の光信号（１４４）を放射するように構成された第２の発光体（１４８）と、
を備えている、請求項４に記載の電気光学コネクタ（１１０，２１０、３１０、３１２、３５０、３５２、５１０、６４０、６４２）。
【請求項６】
前記少なくとも１つの発光装置（１４８、４２０、７２０）が、
受け取った第１の電気信号に応答して第１の光信号（１４４）を放射し、受け取った第２の電気信号に応答して第２の光信号（１４４）を放射するように構成された発光体（７２０）、
を備えている、請求項４に記載の電気光学コネクタ（１１０、２１０、３１０、３１２、３５０、３５２、５１０、６４０、６４２）。
【請求項７】
前記第１の光信号が第１の波長を含み、前記第２の光信号が第２の波長を含む、請求項６に記載の電気光学コネクタ（１１０、２１０、３１０、３１２、３５０、３５２、５１０、６４０、６４２）。
【請求項８】
互いに電気的にデータ通信しない少なくとも第１および第２のロジック・アセンブリを含むシステムにおいて、第１のロジック・アセンブリと関連付けられたコネクタ（１１０、２１０、３１０、３１２、３５０、３５２、５１０、６４０、６４２）であって、
前記第１のロジック・アセンブリに取り付け可能なコネクタ本体（１１０、２１０、３１０、３１２、３５０、３５２、５１０、６４０、６４２）と、
前記コネクタ本体によって支持されたトランシーバであって、
前記第１のロジック・アセンブリ上の電気経路へ通じる前記コネクタとの間で電気信号を伝えるように構成された電気経路と、
第１の電気信号から得られる第１のアクティブ光信号および第２の電気信号から得られる第２のアクティブ光信号のうちの一方を選択的に送信するように構成され、前記送信は、前記第１のロジック・アセンブリと第２のロジック・アセンブリとの間でデータ通信を確立するよう、前記第２のロジック・アセンブリ上のコネクタに向けられる光トランスミッタ（１１６、２１６、３２８、５１５）と、
を有するトランシーバと、
を備えている、コネクタ（１１０、２１０、３１０、３１２、３５０、３５２、５１０、６４０、６４２）。
【請求項９】
識別可能な別個の光信号を受け取り、該受け取った別個の光信号を、第１の電気信号および第２の電気信号のうちの対応する一方に変換するように構成された電気光学レシーバ（１１４、２１４、３１６、５２０）を前記トランシーバがさらに備えている、請求項８に記載のコネクタ。
【請求項１０】
前記光トランスミッタと関連付けられており、前記光トランスミッタから前記第２のロジック・アセンブリ上に配置された電気光学レシーバまでの光信号経路を確立するように構成された方向付け機構をさらに備えている、請求項８に記載のコネクタ。
【発明の詳細な説明】
【技術分野】
【０００１】
本発明は一般に電気光学コネクタに関する。
【背景技術】
【０００２】
コンピュータ環境は進歩し続けているため、電気回路の密度、高速接続に必要な電気コネクタの数、およびサイクル時間を早めるための高速駆動はすべて、ますます有害になる損失の原因となっている。より斬新なプリント回路基板材料の使用、様々な信号符号化技術の使用、および他の電気的または構造的ソリューションなど、現在見られる欠点のいくつかを克服する技術が試されている。
【発明の開示】
【０００３】
１つの実施形態によれば、電気光学コネクタは、電気光学コネクタとの間で電気信号を交互に通信するように構成された電気ポートを含む。受け取った光信号を電気信号に変換するために、電気ポートと電気通信可能な光入力ポートが提供される。受け取った電気信号を光信号に変換するために、電気ポートと電気通信可能な光出力ポートが提供される。また、電気ポートと、光入力ポートと光出力ポートのうちの選択された一方との間の通信を可能するロジックが提供される。
【０００４】
図に示した要素の境界（例えば、ボックス、ボックスのグループ、または他の形状）は、境界のうちの１つの例を表すことが理解されよう。当業者は、１つの要素が複数の要素として設計されてもよく、複数の要素が１つの要素として設計されてもよいことを理解するであろう。別の要素の内部構成要素として示された要素は、外部構成要素として実現されてもよく、その逆でもよい。さらに、図が実寸で描かれておらず、特定の状況を明瞭にするために拡大または縮小されて示されていることを理解されたい。
【発明を実施するための最良の形態】
【０００５】
以下には、開示の全体にわたって使用される特定の用語の定義が含まれる。この定義は、用語の範囲内にありかつ実施するために使用することができる構成要素の様々な実施形態および／または形の例を含む。当然ながら、これらの例は、限定するためのものではなく、他の実施形態を実施することができる。すべての用語の単数形と複数形は両方とも、以下の意味の範囲内にある。
【０００６】
本明細書で使用される「ロジック」は、機能または動作を実行しかつ／または別の構成要素から機能または動作を実行させるハードウェア、ファームウェア、ソフトウェア、および／またはそれぞれの組み合わせに限定されない。例えば、所望の用途または需要に基づいて、ロジックは、ソフトウェアで制御されたマイクロプロセッサ、特定用途向け集積回路（ＡＳＩＣ）などの個別ロジック、プログラム可能／プログラムされたロジック・デバイス、命令を含むメモリ・デバイスなどを含むことができる。また、ロジックは、完全にソフトウェアとして実施されてもよい。
【０００７】
本明細書で使用される「信号」は、１つまたは複数の電気信号、光信号、可視光または赤外線またはそのパターン、アナログまたはデジタル信号、１つまたは複数のコンピュータまたはプロセッサ命令、メッセージ、ビットまたはビット・ストリーム、あるいは受け取り、送りかつ／または検出することができる他の手段を含むこれらに限定されない。
【０００８】
一般に、１つの実施形態において、１つまたは複数の全二重光アイソレータは、別々のアセンブリ上の他の光アイソレータと光路を挟んで光通信するように構成されている。システムは、他の状況では非互換性の電気装置間の信号通信を含むアセンブリ間の機械的絶縁と電気的絶縁を両方とも可能にすることは明らかであろう。
【０００９】
次に図１を参照すると、電気光学コネクタまたはトランシーバ１１０は、双方向差動電気ポート１１２、光入力ポート１１４、および光出力ポート１１６を含むように構成することができる。この実施形態は、差動電気ポート、差動内部電気回路、および非符号化光ポートを備えた半二重トランシーバとして示すことができる。また、示した実施形態は、バイアスおよび競合防止（anti-contention）ロジック１２０を含む。バイアスおよび競合防止ロジック１２０は、トランシーバ内の電気信号が、トランシーバ１１０の別の部分からの電気信号と競合したり、打ち消したり、あるいは干渉したりするのを防ぐかまたは減少させ、またトランシーバの電気出力が、電気ポートに接続された外部の電気ドライバと競合したり、打ち消したり、あるいは干渉したりするのを防ぐように構成されている。バイアスおよび競合防止ロジック１２０のバイアス態様は、例えば光学ドライバなどのトランシーバの一方の側と、トランシーバの他の側とで異なる電気信号レベルを可能にする。また、バイアスおよび競合防止ロジック１２０を、電気ポート１１２に接続された外部電気ドライバの伝送線路の終端を提供するように構成することもできる。
【００１０】
示した実施形態において、トランシーバ１１０は、差動電気ポート１１２を含む双方向電気光学装置として構成されている。動作中、電気ポート１１２において、電気信号を送信してくるプリント回路基板や他の装置などのアセンブリからのアウトバウンド電気信号を受け取る。例えば、２進数１などの第１の値を表す差動電気信号が、電気ポート１１２に受け取られ、ライン１３０および１３６上のトランシーバに入る。バイアス／競合防止ロジック１２０は、電気ポート１１２から光入力ポート１１４をディスエーブルし、電気信号をライン１３２、１３８上の光出力ポート１１６に導く。ライン１３２、１３８上の電気信号を受け取ると、光出力ポート１１６は、提供される電気信号の２進数１に対応する光信号を生成または放射する。同様に、ライン１３０、１３６上で受け取った２進数０を表す第２の値は、２進数０の値に対応して発光体から送信するため、ライン１３２、１３８上の光出力ポート１１６に提供される。この実施形態は、差動電気ポート、トランシーバ内部での差動電気信号の使用、および相補的な非２進化光出力の使用により、電磁妨害（ＥＭＩ）を最小にし、電磁環境適合性（ＥＭＣ）を最大にする（所用電力をさらにほぼ一定に維持するため）。他の用途は、このようなＥＭＩ／ＥＭＣの特徴を、例えば光出力が２進数１と一致し、２進数０と一致する光出力がない、シングルエンド電気ポート、またはトランシーバ内部のシングルエンド電気信号、またはシングル２進化光出力装置、を使用することによって製造コストを削減しまたは小型化することと交換することができる。
【００１１】
示した実施形態において、光出力ポート１１６は、０の信号値１４４0や１の信号値１４４1などの別個の光信号または放射を、対応する印加電気信号から識別可能に生成するように構成された送信ロジック１４２を含むことができる。放射または光信号は、ＬＥＤや、他の半導体装置を含む他の光信号生成装置などの相補的な発光装置１４８から出力されてもよい。光出力ポート１１６は、例えばＣＭＯＳトーテムポール、ＬＶＤＳ、ＬＶＰＥＣＬ差動対など、スイッチング・ポイントで高利得を有する平衡電気ドライバ段を含むように構成することができる。出力光ポート１１６の平衡ドライバおよび二重発光体構造は、例えば１または０の信号値の長いストリングのような同一信号値の長いストリングを送信するときの装置の飽和とその結果生じる待ち時間の増加を含む潜在的影響を小さくすることができる。
【００１２】
また、トランシーバ１１０は、例えば別のアセンブリ上に配置された相補的トランシーバから来る光信号を受け取るように構成することができる。入力光ポート１１４は、フォトトランジスタ、光電子増倍管、および受け取った電磁エネルギーをインバウンド電気信号に変換する他の装置など、１対の平衡光学レシーバ１６２0および１６２1を含む受信ロジック１６０を含むことができる。例えば、レシーバ１６２1で光信号を受け取ると、受信ロジック１６０は、２進数１を表す電気信号を生成し、差動電気信号をライン１６６、１６８上のバイアスおよび競合防止回路に提供する。バイアスおよび競合防止ロジック１２０は、光出力ポート１１６をディスエーブルし、電気信号を、トランシーバが存在するアセンブリへの通信のため、ライン１３０、１３６上の電気ポート１１２に提供する。同じようにして、レシーバ１６２0で受け取った光信号は、２進数０を表す電気信号に変換され、ライン１６６、１６８上でバイアスおよび競合防止ロジック１２０に提供される。生成された電気信号は、ライン１３０、１３６を介して電気ポート１１２に提供され、そこで、信号はトランシーバ１１０から送り出される。
【００１３】
電気ポート１１２が、有効な２進値１または０の信号を受け取っていないとき、光学ドライバは任意選択的にディスエーブルされて、信号を送信するための使用可能性を示す。電気ポートは、適切な伝送線路終端を実現するように構成することができる。さらに、各電気ポートは、ＥＣＬ、ＣＭＯＳなど、あるいは様々な電圧または信号レベルで動作する類似の技術など、現在既知または今後開発される１つまたはいくつかの信号レベルまたは技術を受け入れるように構成することができる。
【００１４】
次に図２を参照すると、２つのトランシーバが示されている。区別を容易にするために、類似しているが必ずしも同一とは限らない構成要素は、同様の番号と異なる添え字「Ａ」と「Ｂ」で示される。１つの実施形態において、第１のトランシーバ２１０Ａは、第２のトランシーバ２１０Ｂと光接続するように構成されている。例えば、光路２１８を介した、第２のトランシーバ２１０Ｂからの光出力ポート２１６Ｂとの光接続のために、光入力ポート２１４Ａが提供されている。また、光入力ポート２１４Ｂと光出力ポート２１６Ａとの間にも光路が提供される。トランシーバが接続されているように示されているが、光入力ポート２１４Ａと光出力ポート２１６Ｂとの間の光路は、真空、空気や他のガスの境界面、光ファイバ・ケーブルなどの任意の光媒体を含むことができる。
【００１５】
引き続き図２を参照すると、電気ポート２１２Ｂと、入力光ポート２１４Ｂおよび光出力ポート２１６Ｂのうちの一方と、の間の電気通信を選択的に許可し禁止する役割を持つ競合防止ロジック２２０Ｂだけを含むもう１つの実施形態を示す。バイアスまたは他の電気信号の修正は、必要に応じてトランシーバ２１０Ｂから行うことができる。
【００１６】
引き続き図２を参照すると、電気的に異なる２つのシステムが通信する機能が表されている。例えば、電気ポート２１２Ａは、例えばアースを基準にした非平衡電気信号を含むことができる。この信号は双方向でもよく、あるいは一方向だけでもよい。これと関係なく、入力電気信号が電気ポート２１２Ａに入ると、競合防止ロジック２２０Ａは、２進信号をライン２３０Ａからライン２３２Ａ上の光出力ポート２１６Ａに送る。光出力ポート２１６Ａと関連した送信ロジック２５０Ａは、電気信号を対応する光信号に変換し、その光信号を送信するように構成されている。例示したように、光信号は、双方向差動システムの一部分である光入力ポート２１４Ｂによって受け取られる。受信ロジック２６０Ｂは、受け取った光信号を差動電気信号に変換し（例示した実施形態では）、電気信号をライン２４２Ｂ、２４８Ｂ上で競合防止ロジック２２０Ｂに送るように構成されている。差動電気信号は、次に、ライン２３０Ｂ、２３６Ｂを介して電気ポート２１２Ｂに送られ、トランシーバ２１０Ｂから出る。
【００１７】
同様に、電気ポート２１２Ｂに達した入力電気信号は、差動経路２３０Ｂおよび２３６Ｂを介して競合防止ロジック２２０Ｂに送られる。競合防止ロジック２２０Ｂは、光入力ポート２１４Ｂをディスエーブルし、信号をライン２３２Ｂ、２３８Ｂを介して差動光出力ポート２１６Ｂに送る。送信ロジック２５０Ｂは、電気信号を光形式に変換し、光信号を光路２１８を介してトランシーバ２１０Ｂから送るように構成されている。例示したように、光信号は、光入力ポート２１４Ａによって受け取られる。受信ロジック２６０Ａは、受け取った光信号を電気信号に変換し、その電気信号をライン２４０Ａ上で競合防止ロジック２２０Ａに送るように構成されている。次に、電気信号は、ライン２３０Ａを介して電気ポート２１２Ａに送られ、トランシーバ２１０Ａから出る。
【００１８】
次に図３Ａを参照すると、１組の電気光学コネクタ３１０、３１２が、互いに光通信する状態で示されている。例えば、コネクタ３１０は、隣り合ったコネクタ３１２上の光出力ポート３２８と光学的に位置合わせされた関係で構成された光入力ポート３１６を含む。コネクタ本体３１０、３１２の対称的構造によって実現された類似の構成において、光入力ポート３２６は、光出力ポート３１８と光学的に位置合わせされている。コネクタは少し離間された構成で示されているが、例示した実施形態により、コネクタは、物理的接触ではなく互いに通信可能な距離になるように構成されてもよい。当然ながら、入力ポートと出力ポートは物理的に接触していてもよい。例えば、光入力ポート３１６は、コネクタ本体３１０内に引っ込んだ形で配置され、光出力ポート３２８は、コネクタ本体３１２上に突出した形で相補的に配置される。例示したように、隣り合ったポートは、相補的形状の特徴部分を有するコネクタ３１０、３１２と関連付けられた方向づけ機構を使用して適切に位置合わせされる。この雄／雌構成は、接続部に機械的安定性を提供する他に、隣り合ったポート間の光学絶縁性も高める。さらに、物理的に別個の光ポートは、例えば出力ポート間の不注意な位置合わせを減少させるのに役立つ。
【００１９】
次に図３Ｂを参照すると、さらに別の例は、両方とも引っ込んだ構造の光入力ポート３５６、３６６と光出力ポート３５８、３６８を含む。第１の構成において、ひとつのコネクタ３５０の光入力ポート３５６を別のコネクタ３５２の光出力ポート３６８と位置合わせすることにより光路３７０が実現される。図４により良く示し後でさらに詳しく説明するように、引っ込んだポートを取り囲むコネクタの枠が、競合または浮遊する光信号からの光学絶縁性さらに高める。
【００２０】
図３Ｂに示した第２の構成において、光路は、光ファイバ、ライトパイプまたは他の光導体３８０によって提供することができる。示したように、光導体３８０は、くぼみ３８４に収容されるあるいは嵌め込まれるように構成することができる。様々な要因により、導体３８０は、例えばコネクタ３５０、３５２が遠くに離されすぎて確実な光通信ができないときや光通信を減少させたり妨げたりする環境または他の要因が予想されるときに光路を提供することができる。また、導体３８０は、光ポートを互いに位置合わせできない場合など、さらに他の状況でも光路を提供することができる。
【００２１】
次に図４を参照すると、線ＩＶ−ＩＶに沿って切断したコネクタ３５２の正面図を示す。１つの実施形態において、光出力ポート３６８は、コネクタ３５２内に引っ込められた２つの発光装置４２０0および４２０1を含む。ひとつの発光装置４２０1は、２進値１に対応する光信号を生成するように構成することができる。第２の発光装置４２０0は、２進値０に対応する光信号を生成するように構成することができる。この構成で、送信動作中に光出力ポート３６８から光を連続的に送ることができる。光入力ポート３６６は、２つの光レシーバ４３０0および４３０1を含むことができる。光レシーバ４３０0は、２進数０の値に対応する信号を検出するように構成され、光レシーバ４３０1は、２進数１の値に対応する信号を検出するように構成されている。両方の２進値に対応する送受信用のアクティブ光信号が、有効な光路の存在を確認するために役立つことを理解されたい。換言すると、例えば、光信号の欠如が２進数０の長いストリングを表しているのか、あるいは光信号の欠如が光路の劣化または破損を表しているのか、によって生じる不明確さが解決される。さらに、ポート３６６と３６８の間のバッフルのような枠４４０や他の遮蔽装置によって、光入力ポート３６６を光出力ポート３６８から光学的に分離することができる。別の実施形態において、光を、例えば一定の最大持続時間で不連続的に送信することができる。これにより、用途によって大きいことがある送信コネクタに必要とされる全電力が減少する。
【００２２】
次に図５を参照すると、コネクタ本体５１０内に複数のトランシーバ５００が配列またはグループ化されてもよい。このグループ化は、並列構成を提供するか、あるいは最大の光学接続または転送速度を提供することができる。前に説明したように、各トランシーバ５００は、光出力ポート５１５と光入力ポート５２０を含むことができる。１つの構成において、光ポート５１５、５２０は、コネクタ本体５１０の端から端まで光出力ポート５１５を直線的な関係で並べて配置したり、あるいはコネクタ本体５１０の端から端まで入力ポート５２０と出力ポート５１５を交互に配置したり、任意の望ましい方式で配列することができる。当然ながら、特定の用途には他の物理的配列が可能である。
【００２３】
次に図６を参照して、光コネクタの別の実施形態を示す。例えば、波長などの識別可能な異なる特性を有する光出力装置と光入力装置を使用することによって、光学的分離を強化することができる。示した例では、第１の複数のトランシーバ６０２は、出力側６０４と入力側６０６を有する。出力側６０４は、波長などの識別可能な異なる信号特性を有する光信号を送信することができる２つのトランスミッタ６１０、６１２を含む。例えば、トランスミッタ６１０は、「Ｂ」で示した青色光を送るように構成され、トランスミッタ６１２は、「ＩＲ」で示した赤外線を送るように構成される。検出可能な異なる波長を使用することにより、光干渉やクロストークなどの可能性が低くなるので、トランスミッタとレシーバの両方を近くに配置できるようになる。
【００２４】
図６をさらに参照すると、１つの実施形態において、コネクタ６４０および６４２は、任意の所望のパターンで向きを決めることができる光出力装置および光入力装置の特性が互い違いになるように構成することができる。示した例では、出力側６０４で、上側トランスミッタ６１０は、隣り合ったトランシーバが青と赤外線（青を文字「Ｂ」で赤外線を文字「ＩＲ」で示した）が互い違いになっており、下側トランスミッタ６１２は、これと反対に構成されている。同じように、入力側６０６で、上側レシーバ６２０は、受け取ると予想される特性のうちの一方と他方、ここでは青と赤外線を互い違いにする。図示したような状況において、コネクタ６４０、６４２を合わせるために、一方のコネクタを第１の構成（例えば、正規の側が上）で位置決めし、他方のコネクタを第２の構成（例えば、上下が逆）に位置決めする場合は、協働するトランスミッタとレシーバを適切に位置合わせするために、複数のコネクタをずらすかあるいは光路を適切に確立しなければならない。そのような構成は、位置合わせされた光ポートの組み立てを容易にするために、前に考察したような物理的に識別可能な印（indicia）を含むことができる。
【００２５】
次に図７を参照して、複数のトランシーバ７１０の別の配列７００の例を示す。図の各トランシーバは、１つ発光体７２０と１つのレシーバ７３０を含む。１つの実施形態において、１つの発光体を制御するロジックは、例えば２進数１の値の存在下で光信号を放射するように構成することができる。他の環境では、光信号が放射されず、すなわち生成された信号は無視される。別の実施形態において、発光体は、多色ＬＥＤや他の多色高分子ダイオードとして構成され、レシーバは、受け取った複数の光伝送の周波数を識別するように構成される。例えば、「緑」色に対応する周波数が２進値１と関連付けられ、「赤」色に対応する周波数が２進値０と関連付けられる。
【００２６】
次に図８を参照して、方法論またはアルゴリズムの１つの実施形態を示す。アイドル状態で、システムは、リンクが非アクティブの間ループして（ブロック８００）有効な入力を待つ（ブロック８１０）。有効な入力を受け取ると、アルゴリズムは、その入力の特性により分岐する（ブロック８２０）。図示したように、入力が電気の場合は、アルゴリズムは、高インピーダンスを提供するかあるいは光入力ポートをディスエーブルする（ブロック８３０）。電気入力信号は、適切な光出力に変換される（ブロック８４０）。入力がまだある場合、アルゴリズムは電気信号が印加されなくなるまでループする（ブロック８５０）。ブロック８２０で入力が光の場合、アルゴリズムは、高インピーダンスを提供するかあるいは電気入力ポートをディスエーブルする（ブロック８６０）。光入力信号は、適切な電気出力に変換される（ブロック８７０）。入力がまだある場合、アルゴリズムは、光信号が印加されなくなるまでループして、入力を適切なドライバに印加する（ブロック８８０）。次に、この方法において、様々な位置に高インピーダンスを適用できることが分かる。例えば、ある実施形態では、様々な光構成要素が共通の電気経路を使用する。別の実施形態では、様々な電気経路が共通の光構成要素に集まる。さらに他の実施形態では、専用の光構成要素が専用の電気経路を使用する。そのような専用のシステムでは、高インピーダンス状態を示す必要は減少するかまたはなくなることがある。また、ある実施形態は、類似の電気特性を有する装置間ならびに異なる電気特性を有する装置間での信号通信を可能にすることを理解されたい。
【００２７】
本発明をその実施形態の詳細によって示し、また実施形態をかなり詳細に説明したが、添付した特許請求の範囲をそのような詳細に限定したりなんらかの形に制限したりすることを出願人は意図しない。さらに追加の利点および修正が、当業者に容易に明らかになるであろう。例えば、全二重、半二重、および単向通信電気ポートを含む代替実施形態が、本出願人の一般的な創意に富む概念の精神または範囲から逸脱することなく達成可能である。差動電気ポート、およびシングルエンド電気ポート、および内部電気回路を、本出願人の一般的な創意に富む概念の精神または範囲から逸脱することなく置き換えることができる。さらに、本明細書で開示した概念は、符号化光ポートと非符号化光ポートの両方に適用可能である。したがって、本発明は、そのより広義な態様において、示し説明した特定の詳細、代表的な装置、および説明的な実例に限定されない。したがって、本出願人の一般的な創意に富む概念の精神および範囲を確保しながらそのような詳細からの逸脱が可能である。
【図面の簡単な説明】
【００２８】
【図１】１つの実施形態による例示的なトランシーバの図である。
【図２】結合された構成の２つのコネクタによって達成された例示的な接続の説明図である。
【図３Ａ】コネクタのもう１つの実施形態を示す図である。
【図３Ｂ】コネクタのもう１つの実施形態と代替の光路を示す図である。
【図４】線ＩＶ−ＩＶに沿って切断した図３Ｂの正面図である。
【図５】コネクタに組み込まれた複数のトランシーバの例示的な実施形態を示す図である。
【図６】コネクタに組み込まれた複数のトランシーバのもう１つの実施形態を示す図である。
【図７】コネクタに組み込まれた複数のトランシーバのもう１つの例示的な実施形態を示す図である。
【図８】１つの実施形態による方法の流れ図である。
【符号の説明】
【００２９】
１１０：電気光学コネクタ
１１２：電気ポート
１１４：光入力ポート
１１６：光出力ポート
１２０：バイアスおよび競合防止ロジック
１４２：送信ロジック
１４８：発光装置
１６０：受信ロジック
【図１】
2005176329.tif 000003
【図２】
2005176329.tif 000004
【図３Ａ】
2005176329.tif 000005
【図３Ｂ】
2005176329.tif 000006
【図４】
2005176329.tif 000007
【図５】
2005176329.tif 000008
【図６】
2005176329.tif 000009
【図７】
2005176329.tif 000010
【図８】
2005176329.tif 000011
【外国語明細書】
2005176329.tif 000012
2005176329.tif 000013
2005176329.tif 000014
2005176329.tif 000015
2005176329.tif 000016
2005176329.tif 000017
2005176329.tif 000018
2005176329.tif 000019
2005176329.tif 000020
2005176329.tif 000021
2005176329.tif 000022
2005176329.tif 000023
2005176329.tif 000024
2005176329.tif 000025
2005176329.tif 000026
2005176329.tif 000027
2005176329.tif 000028
2005176329.tif 000029
2005176329.tif 000030
2005176329.tif 000031
2005176329.tif 000032